(57)【要約】【課題】  コントラスト応答により区別される多数のタイプの感光媒体上へのプリントに適合するプリント装置を提供する。【解決手段】  画像データから、低コントラスト反応を有する第1の感光媒体140、および高コントラスト反応を有する第2の感光媒体140を含む、1組の感光媒体140のいかなるメンバー上のいずれにも、選択的に画像をプリントするプリント装置110。プリント装置110は、少なくとも第1の感光媒体140上へプリントするセットアップ電圧条件についての第1の組、および第2の感光媒体140上へプリントするセットアップ電圧条件についての第2の組を有している、画像形成用空間光変調器136を使用する。空間光変調器136からの出力光の経路内の調整可能な偏光構成要素は、第1の感光媒体140に対する第1のコントラスト設定、および第2の感光媒体140に対する第2のコントラスト設定を有している。【選択図】図６ｂ
2004326110.tif 000002
【特許請求の範囲】
【請求項１】
画像データから１組の感光媒体の任意のメンバー上に、選択的に画像をプリントするプリント装置であって、
ここで、前記の組は、少なくとも第１の感光媒体および第２の感光媒体を含み、前記第１の感光媒体は前記第２の感光媒体に対して比較的低コントラスト反応を有していて、
(a) 前記画像データに応じて、入射光線の偏光状態を変調することにより画像を形成する、少なくとも前記第1の感光媒体上へプリントするセットアップ電圧条件についての第１の組、および前記第２の感光媒体上へプリントするセットアップ電圧条件についての第２の組を有している空間光変調器と、
(b) 前記空間光変調器からの出力光の経路内にあり、少なくとも前記第１の感光媒体に対する第１のコントラスト設定、および前記第２の感光媒体に対する第２のコントラスト設定を有する調整可能な偏光構成要素と、
(c) 少なくとも前記第１の感光媒体に対する前記第１の組のセットアップ電圧条件、および前記第２の感光媒体に対する前記第２の組のセットアップ電圧条件を選択的に設定する制御ロジックプロセッサとを含んでいるプリント装置。
【請求項２】
前記調整可能な偏光構成要素が偏光ビームスプリッタである、請求項１に記載のプリント装置。
【請求項３】
前記調整可能な偏光ビームスプリッタがワイヤグリッド偏光ビームスプリッタである、請求項２に記載のプリント装置。
【発明の詳細な説明】
【技術分野】
【０００１】
本発明は、概して、感光媒体用プリント装置、とりわけ高コントラスト感光媒体上に画像を記録するプリント装置および方法に関する。
【背景技術】
【０００２】
感光媒体上への大量の画像プリントのための装置および技術は、コスト削減、および効率の向上、および速度の最大化を実現するよう、何年にもわたり、絶え間なく洗練され改良されてきた。特に、現在進行しているこうした改良処理が、劇場および他の提示者に配給される映画プリントフィルムのプリント作成に有用なものとなりつつあるため、多くのフィルムプリントラボでは、現行のプリントフィルム供給方法を、効率的、かつコスト面での効果に優れたものにするよう研究されている。
【０００３】
図1に示すように、従来の映画プリントフィルム作成の作業フローの簡単な概略が示される。接触プリンタ120でのプリント処理への画像入力は、プリント処理の中間介在物として、フィルムラボにより慎重にプリントされ、および作成されたマスターネガフィルム122である。非画像化プリントフィルム124は、この処理に対する媒体入力である。高速度では、露光済プリントフィルム124'上にポジプリントを作成するために、マスターネガ122から非画像化プリントフィルム124上へ画像を露光するプリントヘッド126において、接触プリント方式が使用されている。その後、露光済プリントフィルム124'は、劇場および他の提示者に配給するために、現像され、乾燥され、そしてパッケージされる。プリント処理自体で、数百本の露光済プリントフィルム124'が、単一マスターネガフィルム122から作成可能である。
【０００４】
ディジタル画像化能力が登場したことにより、映画プリントフィルム作成に用いられる方法および装置に、改良の機会が訪れたことが認識されている。特に、液晶装置(LCD)アレイおよびディジタルマイクロミラー装置(DMD)配列などの、二次元空間光変調器配列は、様々なプリントアプリケーションでの使用が提案されている。以下のように、これらの装置を用いるプリント装置および方法の僅かな例が開示されている。3色のLEDソースを伴う反射式LCDの使用を開示する、特許文献１ (ラマヌジャン（Ramanujan）他)；。増加するコントラスト比に対応した、追加偏光構成要素を伴う偏光変調を用いるプリント装置を開示する、特許文献２ (ウォン（Wong）他)；および、最適コントラスト比を伴うプリント装置を提供するDMD配列の使用を開示する、特許文献３ (ネルソン（Nelson）他)。
【０００５】
ディジタル画像化技術により提供される能力および利点にもかかわらず、多くの重要な障害が残っている。より重要な障害の1つは、書き込み速度である。二次元空間光変調器は、未だ十分なレベルの光の提供には至っておらず、もしくは、高速プリントフィルム作成での使用のための十分なリフレッシュレートを示していないため、これらの装置を、高速フィルム露光が現在使用されているプリントアプリケーションに代用することは非実用的である。容易に理解されるように、プリントフィルム上へのプリントに用いられる高速装置は、少なからぬ設備投資を要するため、これは特に重要である。ディジタル画像化技術が、速度および低コストでの有意な進歩を提供可能となるまで、プリントフィルム作成のかなりの部分において、従来の接触プリント技術が使われるだろう。
【０００６】
しかしながら、ディジタル技術がプリントフィルム露光に対して未だ最適とは言えない一方で、空間光変調器は、プリント速度が重要でなく、ディジタル画像が他の利点を提供する、ネガマスター作成用のプリントアプリケーションに導入されている。例えば、特許文献１ (ラマヌジャン（Ramanujan）他)は、感光媒体上への画像プリント用LCD空間光変調器の使用を教示している。特許文献１に開示されているようなアプローチを用いて、中間ネガフィルム上に画像を書き込む、LCD空間光変調器を用いることは可能であろう。従って、従来の接触プリント露光技術は、この中間マスターネガからプリントフィルムへプリントするために使用されることになろう。
【０００７】
画像化技術では、各中間ステージにおいて、不可避的に若干の画像退行が起こることがよく知られている。従って、例えば、理想的露光レベルおよびタイミングを有する接触プリンタを用い、最も高品質のネガからプリントする場合さえ、プリントフィルムで画質が若干損なわれるのは避けることが出来ない。通常、例えば、接触プリンタ内のネガとプリントとの間には若干の動きがあるため、鮮明度が若干損なわれる。加えて、プリント処理においては、迷光によりコントラストが若干損なわれかねない。従って、性能が比較的良好な高品質接触プリンタであっても、中間ステージを排除することは画質に対して有用なものとなる。中間マスターネガを用いることなく、プリントフィルムに直接書き込むことは、改良された画質に対する固有値を有するものとなろう。プリントフィルムへの直接書き込みは、接触プリントによる画像化と比べ、より多くの時間を要することになろうが、例外的に高品質なプリントフィルムの供給においては、それを受け入れる他ない理由が存在する場合もある。例えば、選ばれた映画劇場において、従来の方法で作成されたプリントフィルムから映写する他のほとんどの劇場と比較し、非常に高画質なファーストランフィルムを上映するプレミアムを盛り込むことも出来よう。
【０００８】
従って、たとえこの処理が従来の大量処理よりも長い時間を要するとしても、ディジタル画像化技術を用いて、プリントフィルムに直接プリント可能となることへの要求が存在することが理解される。1つの代替手段は、プリントフィルムを受け取りプリントフィルム上に直接画像化可能な、いかなる中間ネガステージも持たない、この目的に特化したプリント装置を提供することである。しかしながら、この第1の代替手段は、商業用途には高価過ぎることになろう。他の代替手段は、マスターネガフィルム媒体のディジタルプリント用に設計された既存のプリンタを出発点にして、プリントフィルムに直接画像化する追加タスクにこうしたプリンタを適合させることであろう。このタイプのプリンタは、その後、マスターネガをプリントするよう、あるいはプリントフィルム上にプリントするよう動作可能であろう。
【０００９】
しかしながら、プリントフィルムに直接書き込むようプリンタを適合させることは、多くの重要な問題を含んでいる。第1の問題は、媒体応答の違いである。図2を参照すると、図1のネガフィルム122として従来から使われているような、典型的な中間ネガフィルム媒体に対する、濃度対数露光に対する曲線が示されている。図2と同一スケールの図3を参照すると、図1の接触プリントフィルム124として従来から使われているような、典型的なプリントフィルムに対する、対数露光に対する濃度の曲線が示されている。図2と図3とを比較すると、ネガフィルムとプリントフィルムの間には、応答に関して重要な相違があることが理解出来る。ネガフィルムは、低コントラストフィルムとして特徴付けることが出来る。一方、プリントフィルムは、高コントラストフィルムとして特徴付けられる。D log E曲線のスロープは、フィルム媒体の相対ガンマ、もしくはコントラスト特性を示している。コントラストに注目すると、図2に示されたように、ネガフィルムは、図3に示されたように、プリントフィルムより遥かに低いコントラストを示している。例えば、典型的な中間ネガフィルムは、およそ1.0のガンマを有している。これと比較し、典型的なプリントフィルムは、スロープが最も急な点では、およそ5.0のガンマを有している。
【００１０】
図2および図 3の感光媒体は、ダイナミックレンジの点でかなり異なっている。簡潔に述べれば、感光媒体に対するダイナミックレンジは、最も明るい露光と最も暗い露光の領域の相違に基づいている。図2に表されたネガ媒体に必要な露光量のダイナミックレンジは、708：1のオーダーで、比較的高い。すなわち、ゼロから2.0余りまでの濃度領域を有するネガの作成のためには、最も明るい露光は、最も薄暗い露光よりおよそ700倍大きくなければならない。しかしながら、図3のプリント媒体に対する必要な露光量のダイナミックレンジは、ほぼ89：1で、比較的低い。図3のプリント媒体についてのD log E曲線が、より急なスロープ(ガンマ)を有しているのは、最小から最大までの濃度範囲にわたり、必要な露光量レベルの比が遥かに僅かであることを意味している。
【００１１】
図2および図3の2つの感光媒体に対するダイナミックレンジの相違により、プリント装置において、単に一方の媒体を他方の媒体の代用とすることは不適当なものとなろう。例えば、図3の媒体を、図2の媒体に対するライタセットアップに代用するだけでは、0濃度から最大濃度(Dmax)までの、濃度における相違に広がるのは、狭い範囲のディジタル値のみである。コード値および対数露光値の小さな相違が、濃度においては大きな相違となるため、それによって、画像輪郭効果は、図3の高コントラスト媒体では遥かに大きなものになるだろう。
【００１２】
典型的なプリンタ較正ルックアップテーブル(LUT)が作成されている場合、図2および図3におけるX軸ラベリングは、コード値がいかに濃度へマップされるかを示している。図2では、曲線は本質的に直線であり、コード値は対数露光領域の主要な範囲にわたって広がっている。図3は、従来のように作成された較正LUTを用いて、同一露光範囲にわたって広がった入力コード値が、プリントフィルム上の出力濃度にいかにマップされるかを示している。図3では、これらの範囲のコード値が大きく変化しても、濃度における変化がほとんどないよう、下方コード値および若干の上方コード値が、曲線の平坦領域にマップされている。図3の応答では、これらの平坦領域のコード値は、フィルム媒体のダイナミックレンジ全体をカバーするコード値だけを残して、実質上失われてしまう。このタイプの媒体を扱うプリント装置は減少した露光範囲、入力画像データ内のコード値を画像化媒体の減少した露光範囲に対するコード値への再マップのために構成されなければならない。すなわち、コード値は、フィルムの有用な濃度範囲にわたって再分配されなければならない。コード値が適切に再分配されないと、画像内の人為結果の輪郭化を招いてしまう場合がある。輪郭化は、コード値が1つ増加したために、視覚閾値を超えるような濃度変化を引き起こす場合に起こる。ある画像内の可視濃度輪郭は、天気図の等圧線に類似する望ましくない効果を生む。
【００１３】
従来のネガ/ポジフィルムシステムは、意図的に高コントラストフィルムおよび低コントラストフィルムを用いている。低コントラストフィルム(およそ0.6‐0.7のガンマを有する)は、オリジナルシーンのキャプチャに使用される。低コントラストフィルムをこの機能に利用することで、ワイドシーンダイナミックレンジが記録される。さらに、低コントラストフィルムは、小さな露光エラーのより大きな許容性を有しており、全体のトーンの再現を大幅に変更することなく、プリント段階中に修正することが可能である。ガンマがおよそ1.0の中間フィルムは、カメラネガの生産物中間介在物ポジおよびネガコピーに使用される。ガンマ1.0は、映画製作の多数の複製段階中のコントラスト増大を防ぐ。従って、プリントフィルムは高コントラストフィルムである。高コントラストは、暗い劇場で見る場合に満足し得る、全体のトーンの再現に必要である。完全なシステムコントラストは、製作の全ステージのガンマの積である。システムコントラストは、暗い部屋でシーンを見る場合、眼の減少したコントラスト知覚を補うよう、1.0よりわずかに大きい。数十年にわたって開発されたこの簡潔なシステムは、非常に良好に機能している。この従来の方法が、低および高-コントラスト媒体の組み合わせを用いていることに注目することは特に教示的であり、そこでは、低および高-コントラスト媒体の双方の望ましい特性が、作業フロー内の異なる箇所で利用され、満足出来る視覚出力を提供するよう調和されている。この従来の作業フローにディジタルプリントを挿入することが、「シームレス」ではなく、さらに、トーン再現と画像人為結果の問題を導入できることは、意外ではない。
【００１４】
図2および図3に示されたコントラストにおける相違は、プリントフィルム媒体が、ネガ媒体と比べて人為結果を強調することを意味している。例えば、プリントフィルムは、ネガフィルム媒体上では単独では容易に顕著にはならない、むらや欠陥あるいは周縁ピクセルなどのLCD画像人為結果を強調する傾向がある。図2および図3のフィルムの場合、プリントフィルムは、知覚可能な人為結果を4‐5と同程度の高いファクタにより強調される場合がある。従って、プリント装置がプリントフィルムに直接プリントするために使用される場合、高コントラスト応答を補う必要がある。
【００１５】
画像化技術では、感光媒体、もしくは、音響光学変調器あるいは液晶装置などの光変調構成要素により導入される非線形性を補うために、ルックアップテーブル(LUT)を用いることが知られている。LUTは、媒体あるいは変調装置の相違に対する変更を可能にし、較正目的にしばしば使用されるフレキシブルメカニズムを提供する。
【００１６】
プリント装置を感光媒体の応答特性に較正する1つの方法は、2002年10月17日に出願され、共通に譲渡された特願第2002-303087号で説明されるように、ディジタルデータのマッピングを調整し、入力データ値を出力露光レベルに関連づけるLUTを作成することによるものである。特願第2002-303087号の方法を用い、入力コード値は、所与のバイアス電圧レベルで、露光エネルギー値を可能な入力データ値の範囲にわたる濃度に関連させることにより、装置コード値にマップされる。この方法は、特に光変調器の解像度が入力データより高解像度である場合、較正に有用であるが、特願第2002-303087号は、低および高-コントラスト媒体間で変化する際の知覚可能な均一性問題については論じていない。この理由のため、LUTを用いるデータ値のマッピングに加えて、感光性プリントフィルムのコントラスト応答特性により、プリントハードウェアの追加調が必要となる場合もある。
【特許文献１】米国特許第６，２１５，５４７号明細書
【特許文献２】米国特許第６，４８０，２５９号明細書
【特許文献３】米国特許第６，１６３，３６３号明細書
【発明の開示】
【発明が解決しようとする課題】
【００１７】
従って、プリント装置、および、プリント装置を異なるコントラスト反応特性を有する感光媒体に適合させる、適切な方法が必要とされているのが理解される。
【００１８】
本発明の目的は、コントラスト応答により区別される、多数のタイプの感光媒体上へのプリントに適合した、プリント装置および方法を提供することである。
【課題を解決するための手段】
【００１９】
本発明は、この目的を念頭に、画像データから1組の感光媒体の任意のメンバー上に、選択的に画像をプリントするプリント装置を提供する。ここで、組は、少なくとも第1の感光媒体および第2の感光媒体を含み、ここで、第1の感光媒体は第2の感光媒体に対して比較的低コントラスト応答を有している。本装置は以下を含む：
(a) 画像データに従って、入射光の偏光状態を変調することにより画像を形成するための、
少なくとも第1の感光媒体上へのプリントのためのセットアップ電圧条件の第1の組、および第2の感光媒体上へのプリントのためのセットアップ電圧条件の第2の組を有している空間光変調器；
(b) 空間光変調器からの出力光の経路内の、少なくとも第1の感光媒体に対する第1のコントラスト設定、および第2の感光媒体に対する第2のコントラスト設定を有する調整可能な偏光構成要素；および
(c) 少なくとも第1の感光媒体に対する第1の組のセットアップ電圧条件、および第2の感光媒体に対する第2の組のセットアップ電圧条件を選択的に設定する制御ロジックプロセッサ。
【００２０】
他の態様から、本発明は、以下を含む、画像データから所定のコントラスト応答を有する感光媒体上に画像をプリントする方法を提供する：
(a) 感光媒体のコントラスト応答に基づいて、空間光変調器のために電圧条件を設定すること；
(b) 感光媒体のコントラスト応答に従い、画像化光学部品のコントラストを減少させるよう偏光構成要素を調整すること；
(c) 所定の偏光状態を有する入射光を、空間光変調器に方向付けること；
(d) 変調された画像担持光線を形成するよう、画像データに従って、入射光を変調すること；および
(e) 変調された画像担持光線を感光媒体に向かって方向付けること。
【００２１】
本発明の特徴は、プリント装置内でコントラストを調整するための、調整可能な偏光構成要素を用いることである。
【発明の効果】
【００２２】
本発明の利点は、単一のプリンタを、コントラスト応答特性の範囲を有する、異なる感光媒体上へプリントするよう、容易に適合させ得ることである。本発明の方法を用いることにより、各媒体タイプが特定のセットアップパラメータを有する、2つ以上の異なる媒体タイプに対応するよう、プリンタを調整することが出来る。特定の場合、ネガフィルム媒体上への画像化に使用される同一のプリンタが、ポジフィルム媒体上への直接的な画像化に使用可能となり、フィルム再現処理におけるステップを事実上なくすことになる。
【００２３】
本発明のさらなる利点は、高コントラスト媒体上に改良された均一性を提供する調整が可能となることである。
【００２４】
これらの、および他の、本発明の目的、および特徴、および利点は、本発明の実施例の説明および図示が、示される図面を参照しながら以下の詳細な説明を読むことにより、当業者にとって明らかになる。
【００２５】
本願明細書が本発明の対象を特に指摘し、明瞭に請求する請求項を持って結論付ける一方で、添付図面と共に以下の説明を読むならば、本発明をさらに良く理解することが出来ると思われる。
【発明を実施するための最良の形態】
【００２６】
本説明は、特に本発明に従う装置の部分を形づくる要素、もしくは、より直接に関連する要素に向けられている。特に示されていないか、説明されていない要素が、当業者によく知られている様々な形をとり得ることは理解されるべきである。
【００２７】
EO装置応答
図4を参照すると、ここでは、コード値に対する相対的輝度に関連する、同一LCD空間光変調器装置のための、2本の特徴ある電気光学(EO)曲線が示されている。装置EO応答の制御に用いられる電圧セットアップパラメータVc、V1、電圧V2は、低コントラスト曲線200、および高コントラスト曲線210の2本の曲線に対して異なっている。縦軸は、装置の相対輝度もしくは「反射率」である。横軸は、ピクセルのディジタルコード値に対応しており、LCD内のそのピクセルに適用されたビデオドライブ電圧に比例する。印加されるビデオ電圧が大きくなれば(より大きなディジタルコード値になるほど)、そのピクセルもしくは領域から「反射する」光量も大きくなる。光反射における応答は、低コントラスト曲線200および高コントラスト曲線210の双方に適用する。低コントラスト曲線200および高コントラスト曲線210の傾きは、セットアップ電圧条件での電気光学装置応答の可変性を示している。低コントラスト曲線200は、コード値が増加すると、どのようにして輝度がゆるやかなレートで増加するかを示している。高コントラスト曲線210は、コード値範囲の大部分にわたって、コード値間の輝度が、より急峻に増加することを示している。加えて、高コントラスト曲線210は、低コード値にわたる相対輝度が、低コントラスト曲線200より低くなることを実現している。低コントラスト曲線200は、コード値にわたる輝度レベルの一定間隔が、高コントラスト曲線210で利用可能なものより、かなり多いことを示している。露光済画像における輪郭化を最小にするために、可能な限り多くの離散的露光レベルを提供する利点があることが理解されよう。特に、感光媒体が高コントラスト応答を有する場合、これは真実である。
【００２８】
図2の反応特性を有する中間ネガフィルムについては、露光画像が高コントラストを有することは特に重要なことである。この目標を念頭に置き、通常、LCD空間光変調器装置は、フィルムに高コントラスト露光量を提供するために、高コントラスト曲線210の反応に設定されている。この高コントラストセットアップは、特に著しい低輝度レベルにおいて、フィルムに必要な広範囲の露光を提供するために必要である。こうした構成は、光レベルに対してコード値を最適に配分しない場合もある。しかしながら、あらゆる入力コード値を、較正ルックアップテーブル(LUT)内のユニークな出力値にマッピングすることにより、許容される性能が得られる。こうすることにより、輪郭化はディジタルデータ自体に導入されないことになる。以下に詳述するように、光学システムは、同様に、最良の予想コントラストを提供するために慎重に調整される。図3のような高コントラストフィルムでは、傾きの大きな領域は、低コントラスト曲線200を用いる場合に提供されることになるような、出来るだけ多くのディジタルコード値を有していることが望ましい。さもなければ、代わりに高コントラスト曲線210が用いられると、コード値における全てのユニット増加分により、光レベルでの大規模な変化が引き起されることになろう。その結果、濃度における大規模な変化が生じ、画像内に好ましくない輪郭化が引き起こされるだろう。この考察を踏まえるなら、低コントラスト媒体は高コントラスト露光光入力を必要とし、さらに、高コントラスト媒体は低コントラスト露光光入力を必要とすることが理解される。この関係は、図1を参照して上述した、従来のプリントフィルム作成作業フローに適用される。
【００２９】
図3を参照すると、コード値の範囲にわたって、コード値の変化が、対応する濃度変化を小さなものにするよう、コード値の範囲を、コード値範囲を示す点線矢印により示されるさらに狭い露光範囲に制限する必要がある。この調整は、LCD空間光変調器を、図4の低コントラスト曲線200でセットアップすることにより実行される。
【００３０】
バイアス電圧(すなわち、LCD電圧セットアップパラメータ)での変化がEO曲線コントラストにいかに影響するかに留意することは教示的である。ここで図5aおよび図5bの曲線を参照すると、比較のために、アナログ反射式LCDなどの電気光学露光装置のための、相対輝度に対する相対ドライブ電圧レベルの典型的な関係が示されている。電圧Vcは、LCDの制御電圧、あるいはバックプレーン電圧である。電圧V1は、Vcからのオフセットペデスタルを制御し、さらに、交互半周期間にLCDに適用される、対応する補足的負電圧V2(図示せず)を有している。電圧V1および電圧V2は、本質的には同じ大きさを有するが、Vcに関して極性が反対である。 (極性を交替させるのは、構成要素の寿命を著しく短くする空間電荷を、装置が蓄積するのを防ぐためである。) それ以外は、電圧V1および電圧V2は、同じ機能を有している；以下の記述は、便宜上、V1を用いた、正の半周期について説明している。図5aの曲線のペデスタル領域内にあるドライブ電圧を用いる場合、非常に小さな輝度の増加がある。
【００３１】
さらに図5aおよび図5bを参照すると、コントラスト全体は、電圧レベルV1を上下させることにより変化する。画像に利用可能な輝度レベルは、図示された範囲にわたって変化可能なペデスタル電圧より上、およびV1を上回る場合には、ビデオ電圧により制御される。従って、このビデオ電圧は、ディジタルコード値に比例する。ピークビデオ電圧は、セットアップ電圧パラメータの1つであるが、通常、範囲内に制限されている。ビデオ電圧は、色に応じて、フル装置反射率範囲が処理可能となる場合も、ならない場合もある。図5aもしくは図5bに表されるように、V1により設定されるペデスタル電圧により、事実上、ビデオ範囲全体を曲線の上下にシフトさせることが可能である。電圧V1は、図4の高コントラスト曲線210を作成するには、図5aにおけるように、小さくなければならない。比であるコントラストは、低レベルの強い関数（strong function）、分母、および、高レベルのより弱い関数（weaker function）、分子である。小さいV1電圧レベルにより、ペデスタルV1上では、ゼロビデオボルトに対する低い相対輝度が付与される。それに加えて、ビデオ電圧が制限されているので、最大ビデオ電圧が、完全な予想輝度を提供しない場合もある。図4の下方コントラスト曲線200を得るには、図5bに示されたように、V1をより大きくしなければならない。より大きな電圧V1の場合は、図5bに示されたように、ビデオの下端およびビデオの上端の双方が、曲線の上方へスライドする。その結果、下端および上端では、微小電圧V1、図5aがある場合より、大きな輝度値を有する。上述したように、コントラストは主として下端値により制御される比であるため、コントラストはより低くなる。しかしながら、図4の低コントラスト曲線200および高コントラスト曲線210は、図5aおよび図5bからの、異なるV1値を有する2本の曲線にそれぞれ対応している。比較のために、図5aおよび図5b内の曲線は、図4において用いられた形でプロットされる前に正規化されている。LCDのセットアップでは、Vcがいったん決定された場合、ペデスタル電圧V1の調整は、全体の電気光学輝度反応特性を決定する。ビデオドライブレベルは、EO曲線のトップを越えることなく、可能な限り最大輝度への接近を達成するよう設定されていることに留意すべきである。当業者にとって周知の通り、EO装置の使用において、EO曲線は、実際にピークに達することが可能で、さらに、その後、ドライブ電圧が増加し続ける(図5aと図5bに示されていない、望ましくない状態)につれて低下する。
【００３２】
図4、図5aおよび図5bの曲線は、光学システムの残余部分を変更せず、LCD変調器のセットアップ電圧を調整することによって生成される。光学システム自体は、交差偏光装置、および最適ビームスプリッタ整列、および最小のフレアおよび漏出光を可能にする、光学装置の最大コントラストに設定されている。上に強調したように、プリント濃度制御のための設計目標は、輪郭化を避けるために、利用可能レベルにわたるコード値の最良配分を得ることである。
【００３３】
輪郭化および他の量子化の影響を最小にすることは、低コントラスト媒体および高コントラスト媒体を選択可能な形で用いるよう、プリント装置を適合させる主要な要件の1つであると認識されている。上の説明が示すように、このタイプの画像量子化異常を解決するために、電圧値V1、V2の適切な設定、さらに適切なLUTマッピングの使用が導入可能である。しかしながら、プリント装置を低コントラスト媒体および高コントラスト媒体に適合可能とするには、解決しなければならない他の問題が存在している。これらの問題のうち主要なものは、空間光変調器のむら反応である。一定のピクセル値で処理する場合、むらは、LCDにわたる反射率の何らかの変化に起因している。空間光変調器のむらは、低コントラスト中間ネガ媒体へ画像化する場合、結果としてもたらされる画像内において必ずしも明白なものとはならない場合がある。しかしながら、ネガ媒体を用いた高コントラストフィルム媒体にプリントする場合には、プリントフィルムのガンマが比較的高いため、ネガ内のいかなるむらもプリントフィルム媒体内で強調され、その結果、望ましくない画像化人為結果が引き起こされることになる。しかしながら、変調器および光学部品が、高ガンマプリントフィルムに露光範囲を合わせるよう、プリンタコントラストを減少させるよう適切に調整された場合は、LCDによるむらの大きさは軽減される。従って、プリントフィルムの高ガンマのため、僅かなむらであっても増幅されることになるが、画像人為結果の総体的影響は減少する。むらの影響を最小にする本発明の解決策、および、この解決策が装置セットアップ電圧の変更と提携していかに作用するかについてよく理解するには、先ず、ディジタル画像プリント装置で使われる構成要素の総合的構成を見直すことが有用である。
【００３４】
光変調構成要素
図6aを参照すると、ここでは、単一カラーチャンネル用画像生成装置100を伴う、従来技術プリント装置110が示されている。任意のカラーフィルタ118あるいは1つ以上のLEDを伴うランプなどの光源114は、均一化装置116を通して、ソースイルミネーションを偏光ビームスプリッタ134へ供給する。偏光ビームスプリッタ134は、所望の偏光状態を有するイルミネーションを空間光変調器136へ方向付ける。制御ロジックプロセッサ112は、ディジタル画像データを受け取り、そのデータを、画像を形成するために空間光変調器136を変調するために用いる。その後、この画像を担持する変調光が、偏光ビームスプリッタ134を通り、さらに分析器132を通り抜け、レンズ138により感光媒体140へ方向付けられる。従来技術実施例で用いられる偏光ビームスプリッタ134は、通常、例えば、マックネイル（MacNeille）プリズムなどのプリズム構成に基づいている。
【００３５】
図6aの従来技術構成は、特定のコントラスト反応特性を有している、特定タイプの感光媒体140上への画像化に適している。しかしながら、異なるコントラスト反応特性を有する感光媒体140への画像化に対しては、図6aの構成要素構成は容易には適応出来ない。すなわち、図6aの構成要素構成が、特定の感光媒体140のコントラスト比にいったん最適化されると、代替感光媒体140に対する調整用オプションはまず存在しない。
【００３６】
図7a、図7b、図7c、図7dを参照すると、ここでは、各色に対して別々の光源および空間光変調器を用いる従来技術の実施例における、プリント装置110の画像生成装置100の概略図および斜視図が示されている。特に図7a、図7b、図7cを参照すると、光源20、22、26は、光(通常、赤色光、および緑色光、および青色光)を、均一化光学装置45、49、47を通して；テレセントリックコンデンサレンズ70、72、71を通して；偏光子53、55、57を通して；折りたたみ鏡73、75、77を通して；偏光ビームスプリッタ80、84、82を通して；それぞれ反射式空間光変調器90、97、95へ方向付ける。変調光は、偏光ビームスプリッタ80、84、82を通して、別々に変調されたカラー光線を、書き込みのために出力軸に沿って結合させる、X‐キューブコンバイナ86へ伝達する。図7dは、画像生成装置100としての、これらのイルミネーションおよび変調構成要素を空間的に位置決めするための一例を示している。
【００３７】
図7a、図7b、図7c、図7dに示された構成では、光源20、22、26は、各々、通常、任意のカラーフィルタ(図示せず)を伴うLED配列、あるいはランプを含んでいる。空間光変調器90、97、95は、反射式LCDである。図7a、図7b、図7c、図7dの構成により、感光媒体140の同時RGB露光が可能となる。この設計により、各色に対する最大出力および色の同時書き込みが可能となるので、この構成を用いる書き込み速度は最大となる。
【００３８】
むら補償のための調整
図6aおよび図7aから図７dの従来技術画像生成装置100では、従来の設計目標は、コントラストを最大にすることである。最大コントラストを実現するために、偏光構成要素、具体的には、図6a内の偏光子130および分析器132、さらに図7aから図7d内の偏光子53、55、57、さらに図6a内の偏光ビームスプリッタ134、さらに図7aから図7d内の偏光ビームスプリッタ80、84、82は、変調経路内で相互にきめ細かく調整されている。いったん利用可能な最も高いコントラストのための適切な調整が達成されると、偏光構成要素はその位置に固定される。
【００３９】
しかしながら、図6a内の偏光ビームスプリッタ134を僅かに回転させると、反射式空間光変調器136の低周波むらを減少させることが確認されている。偏光ビームスプリッタ134が、従来のプリズム‐ベースのビームスプリッタである場合は、イルミネーションおよび変調経路内の多数の支持構成要素を、それに対応して調整する必要があり、こうした回転は非実用的なものとなろう。しかしながら、ワイヤグリッド偏光ビームスプリッタを用いたプリント装置110では、こうした装置をそのセンターポイントの周りに、同一平面内で回転させることにより、他の支持光学部品に影響を与えることなく、コントラストを変化させることが可能であろう。
【００４０】
コントラスト調整を許容する装置
図6bを参照すると、2つ以上の異なるタイプの、コントラスト応答特性が異なる感光媒体140上への画像化のための、偏光状態調整を用いて適合されたプリント装置110が示されている。この実施例のために適合された構成要素は、以下のうちの1つ以上を含んでいる。
(a) 入射光線の偏光効果を変えるために回転もしくは再位置決め可能な、ユタ州オレームのモックステック(Moxtek)社から市販され、米国特許第6,122,103号明細書、および米国特許第6,288,840号明細書(パーキンス（Perkins）他)、および米国特許第6,243,199号明細書（ハンセン(Hansen)他)において説明されているような、調整可能ワイヤグリッド偏光ビームスプリッタ135；
(b) 入射光線への偏光効果を変化させるために、同様に回転あるいは再位置決め可能な調整可能分析器133；
(c) 入射光線への偏光効果を変化させるために、同様に回転あるいは再位置決め可能な調整可能偏光子131；および
(d) 1つ以上の調整可能偏光子131、調整可能分析器133、あるいは偏光特性を調整するためのワイヤグリッド偏光ビームスプリッタ135を回転もしくは位置決めを調整する、1つ以上の任意の調整メカニズム142。この調整メカニズム142は、タブもしくは調整ねじを用いるなどの手動調整が可能か、あるいは、例えば、圧電アクチュエータ、もしくはステッパモーター、もしくは他のタイプのモーター、ソレノイド、または他の駆動装置などの制御ロジックプロセッサ112の制御下で自動調整が可能である。
【００４１】
図6bに示された構成を用いることにより、図7aから図7dの装置は、偏光調整用各カラー変調チャンネルを適合させるよう、変換可能である。この変換は、画像化技術において周知されているように、調整可能偏光子131および分析器133に対応した調整を伴って、3つの偏光ビームスプリッタプリズム80、82、84を、調整可能ワイヤグリッド偏光ビームスプリッタ135に取り替えることで実現可能である。
【００４２】
ワイヤグリッド偏光ビームスプリッタ 135が、その最大コントラストの方向から回転するにつれ、それに対応して、フィルム面で光検出器を用いて測定可能なプリント装置110のコントラスト比は低下する。しかしながら、同時に、むら人為結果の大きさも減少する。従って、大きな露光コントラスト比が必要でない場合、より均一な画像を露光するために、余分なコントラスト比を若干減少させる場合もある。この調整をすることにより、セットアップ電圧Vc、V1に変化がない場合でも、図4に示されたように、空間光変調器136に対する有効EO曲線は変更される。経験的結果では、EO曲線形状を供給する際に、電気光学的および光学的な2つの影響が、解決不能の状態で結合することが分かる；さらに、コントラストの影響を含むことなく、EO曲線を測定することは不可能である。偏光入力光線が、ワイヤグリッド偏光ビームスプリッタ135に対して整列していることに留意するのは重要である。ワイヤグリッド偏光ビームスプリッタ135を、コントラストを減少させるために回転させると、この整列が破綻を来たし、その結果、全体的な照明効率が減少してしまう。従って、本発明の装置は、偏光子131を調整可能にすることにより、全体的なシステムコントラストに影響を与えることなく、偏光入力光線の再整列を可能にし、その結果、照明効率をより高いレベルに回復している。図6bの要素構成を参照すると、空間光変調器136、ワイヤグリッド偏光ビームスプリッタ135、および調整可能分析器133の相対的な整列は、全体的なコントラストに影響する。ワイヤグリッド偏光ビームスプリッタ135に対する偏光子131の調整は、イルミネーションの輝度に影響する。
【００４３】
低コントラスト媒体および高コントラスト媒体の相対特性、および従来のプリントフィルム作成作業フローにおけるそれらの役割は、すでに図1を参照して説明された。本発明の装置および方法は、電気的および光学的調整を、元々もしくは主として低コントラスト媒体上にプリントするよう設計された装置に合せることにより、高コントラストプリント媒体に対して直接導入可能な作業フローを提供する。
【００４４】
本発明の装置と方法が、従来のプリントフィルムプリント作業フローにわたって、改良された均一性に対して、予想されない結果を提供することに留意するべきである。プリントフィルムの高ガンマ特性にもかかわらず、LCDにより誘発されたプリントフィルム上の人為結果は、本発明の方法および装置を用いたいくつかの条件下で、図1の従来の2ステップ(ネガ/ポジ)処理に比しても視認性を持たないことが確認されている。図5cを参照すると、ここでは、従来のネガ/プリントシステム(図5cの上部に沿う)に対するむらの影響と、図6bに示されたような、空間光変調器を用いてディジタル画像化を提供する直接プリントシステムの結果との比較が示されている。図5cの例では、ネガ媒体上への画像化に使用されるLCDは、全体に20%の均一な反射率に設定されている。
【００４５】
しかしながら、装置むらにより、領域は、装置の残余より低い反射率を有するLCD内に存在している。ワイヤグリッドビームスプリッタを、中間ネガフィルム媒体上へのプリントに必要な高コントラストを生成するよう調整すると、この領域は15%の反射率しか示さないことになろう。フィルム書き込み装置の較正中、LCDが最大反射率にある場合、露光が調整されフィルムは、その最大濃度Dmaxを生成するよう露光される。反射率20%では、LCDは、濃度1.28を生成する形で中間ネガフィルムを露光する；しかしながら、減少反射率領域では、濃度1.14を生成するのみで、その濃度変化は0.14となる。その後、このネガフィルムがプリントフィルム上へのプリントに用いられると、この濃度変化は、プリントフィルムのガンマにより4：1増加して、0.56へ拡大する。しかしながら、ワイヤグリッド偏光ビームスプリッタ135が、プリントフィルム上への直接画像化のために低コントラスト位置に調整されるなら、低コントラスト設定により均一性の逸脱も減少されることになる。
【００４６】
例えば、再びLCD変調器を全体に20%の均一な反射率へと駆動させると、むらの領域は、図5cの下部部分に示されるように、18%の反射率を示すことになろう。すでに中間ネガフィルムで考察したように、フィルム書き込み装置の露光は、LCD変調器が最大反射率である場合、プリントフィルム上にDmaxを生成するよう調整される。反射率20%では、フィルム上で濃度2.26が達成されるだろう。反射率18%では、濃度2.05が得られよう。この直接プリントの事例におけるLCDのむらに起因する濃度変化は、従来のネガ/ポジプリントシステムにおける0.56に対し、0.21であるに過ぎない。むら異常の視認性は、濃度変化に密接に関連しているので、本発明の直接プリントディジタル画像システムにおけるむら異常の視認性は、従来のネガ/ポジシステムに対するものよりおよそ2.5倍低くなる。従って、直接プリントシステムは、(従来のネガ/ポジプリントシステムがするように)プリントフィルムのフル濃度範囲を用いた画像を生成可能ではあるが、予想に反して、人為結果は従来のシステムに比して減少される。
【００４７】
ワイヤグリッド偏光ビームスプリッタ135の回転が最も簡単な調整を提供する一方で、コントラスト比は、分析器132を回転させることにより、交互に低下させることが可能である。1つの代替手段として、図6bの構成を用いて、回転ワイヤグリッドビームスプリッタ 135および調整可能分析器133の組み合わせを採用することも可能である。図4に示されたEO曲線のコントラストは、空間光変調器のための電気的セットアップパラメータに対する変化と共に増加可能であり、その後、ワイヤグリッド偏光ビームスプリッタ135を回転させることにより、システムコントラスト全体が減少される。認容あるいは最適な解決に達するまで、後に測定を伴う調整を繰り返すことが必要となることもあろう。この方法を用いることによる、特定タイプの感光媒体に対する最良の解決を得るには、均一性のためにコントラストのこのトレードオフの結果の評価が必要である。
【００４８】
特定の感光媒体140タイプに対するセットアップ手順
図8を参照すると、プリント装置110を感光媒体140のコントラスト反応特性に合わせる手順は、プリント装置110のための初期の工場セットアップを含んでおり、その後、各特定感光媒体140のためのセットアップ手順が続く。通常、特定のアナログ反射式LCDに提供されるこの手順は、当業者により容易に、他のディジタルおよびアナログLCD、および偏光を変調するいかなる空間光変調器にも適合可能である。図8で説明された手順は、プリント装置110光学素子が、(交差偏光子として構成される、偏光子130、および分析器132、および適切に調整されたワイヤグリッド偏光ビームスプリッタ 135により)最大コントラストに設定されており、さらに、高コントラストEO曲線のための公称LCD電圧セットアップパラメータがLCD空間光変調器136の制御のためにロードされていることを仮定している。これらの公称電圧は、使用されるタイプのLCD装置のオフラインテストから、利用可能となっていなければならない。こうした出発点において、システムのコントラストは、意図された任意の感光媒体140上への書き込みに必要な最大コントラストを満たしていなければならず、あるいはそれを超えていなければならない。
【００４９】
初期セットアップに続く、各特定タイプの感光媒体140に対するプリント装置110の構成は、図8に示されたステップを用いて実行可能である。セットアップステップ300は、先ず、以下のサブステップを伴って実行される。
1. イルミネーション色を選択する。
2. イルミネーション輝度/電流を中央値に設定する。
3. 公称低コントラストLCDセットアップパラメータをロードする。
【００５０】
続いて、コントラスト測定および調整ステップ310は、以下のサブステップを伴って実行される。
4. コントラストを測定する。
5. コントラストが認容可能か否かを判断する。
「はい」であるなら、次のサブステップに進む。「いいえ」であるなら、LCDパラメータを変更し、サブステップ4に戻る。
6. 所望のコントラスト比が達成されるまで、偏光構成要素の回転を調整する。この調整は、例えば、ワイヤグリッド偏光ビームスプリッタ135と調整可能分析器133の一方、もしくは双方を回転させることにより実行可能である。
7. コントラストを測定する。
8. この媒体に対して、コントラストが認容可能か否かを判断する。
「はい」であるなら、次のサブステップに進む。「いいえ」であるなら、LCDパラメータを変更し、サブステップ4に戻る。
【００５１】
均一性査定ステップ320は、これらのサブステップを伴って続く。
9. 均一性が認容可能か否かを判断する。
「はい」であるなら、次のサブステップに進む。「いいえ」であるなら、LCD EOコントラストを増加させるよう、LCDパラメータを変更し、サブステップ4に戻る。
【００５２】
その後、認容可能な均一性結果を得たセットアップパラメータの格納のために、以下のサブステップを用いて、セットアップ値格納ステップ330が実行可能となる。
10.プリント装置110のための経験的確定値のテーブルから、Dmaxを得るのに必要な露光時間およびLED電流を選択する。
11. 制御ロジックプロセッサ112内に、以下の値を格納する：LCDパラメータ(Vc、V1、電圧V2、ビデオレベル)、露光時間、LED電流もしくは光源設定、ワイヤグリッド偏光ビームスプリッタ 135の回転もしくは分析器132の回転。これは、例えば、それを、そのホームポジションから、所望の各コントラスト比に対応した位置へ移動させる、ステッパモータードライブ、あるいは他のタイプの調整メカニズム142のパルスを計数し、その結果を制御ロジックプロセッサ112にロードすることを必要とする場合もある。
【００５３】
判断ステップ340は、追加色に対してこの手順を繰り返す必要性をチェックする。
12. 全色を完了したか否かを判断する。
「はい」であるなら、ループは完了し、；サブステップ20に進む。
「いいえ」であるなら、図7に示されたように、3つのLCD変調器システムの場合は、セットアップステップ300内のサブステップ2に戻る。単一LCDシステムの場合は、図6bに示されたように、サブステップ13に進む。
【００５４】
その後、コントラスト測定および調整ステップ350は、各追加色に対して、以下のサブステップを伴って実行される。
13. 次のイルミネーション色を選択する。
14. 輝度/電流を中央値に設定する。
15. コントラストを測定する。
16. コントラストが認容可能な仕様内にあるか否かを判断する。
「はい」であるなら、次のサブステップに進む。「いいえ」であるなら、LCDパラメータを変更し、サブステップ１５へ戻る。 (単一LCDシステムでは、既にこれは第1の色で設定されているので、ワイヤグリッド偏光ビームスプリッタ136あるいは分析器132を回転させない。)
【００５５】
セットアップ値格納ステップ330は、以下のサブステップを伴って繰り返される。
17. 経験的決定のテーブルから、Dmaxを得るのに必要な露光時間およびLED電流を選択する。
18. 制御ロジックプロセッサ112内に、以下の値を格納する。LCDパラメータ(Vc、V1、電圧V2、ビデオレベル)、露光時間、LED電流もしくは光源設定、PBSもしくは分析器の回転。
19. 全色完了したか否かをチェックする。
「はい」であるなら、次のサブステップに進む。「いいえ」であるなら、3つの変調器システムのためのサブステップ2、もしくは単一変調器システムのためのサブステップ13に戻る。
【００５６】
その後、較正ステップ360が、以下のサブステップを伴って実行される。
20. 制御ロジックプロセッサ112が、空間光変調器136あるいは感光媒体140の非線形性に対する修正を適用することがないよう、線形LUTを採用する。
21. 例えば、22レベルを使用して、既知のコード値およびパワーレベル(ステップタブレット)での感光度テストを実行する。感光媒体140テスト片をこれらのレベルで露光する。次に、テスト片を現像し、濃度を測定する。
22. 等しいコード値増加が、処理済感光媒体上での等しい濃度増加を導くよう、サブステップ21からの感光度データを用いて、非線形較正LUTを作成する。
23. 較正LUTをロードする。
24. 検証画像を書き込む。
【００５７】
プリント装置110は、電圧設定(V1、V2、ビデオレベル、およびVc)、およびワイヤグリッド偏光ビームスプリッタ 135および調整可能分析器133の回転を含む、各タイプの感光媒体140に対してロードされたプレセットを伴って、工場においてセットアップされていることが理想である。
【００５８】
本発明の方法を用いて、プリント装置110は、コントラスト特性範囲を有する、いかなる数の異なるタイプの感光媒体140の使用に対しても、セットアップすることが可能である。異なるタイプの各感光媒体140のセットアップは、適切な電圧レベルが設定され、偏光構成要素の調整が、特定タイプの感光媒体140のためになされるよう、オペレータによって入力されたコマンド、および手動調整の組み合わせを用いて実行可能である。代替的に、セットアップ調整は、例えば図6bの調整メカニズム142に対して、モーター、ソレノイド、圧電構成要素、または他のタイプの制御アクチュエータを用いる、感光媒体140タイプの自動検出、および偏光構成要素回転の自動調整により、部分的に、あるいは完全に自動化可能であろう。自動検出の1つの実施例では、感光媒体140を含むフィルムカートリッジあるいは他のパッケージは、RFトランシーバー(図示せず)をセンサとして備えた、テキサス州ダラスにあるテキサスインスツルメント（Texas Instruments）社製のTAG-ITトランスポンダーなどのRF ID装置(図示せず)を、インディケータとして有することが可能である。センサは、プリント装置110にロードされた感光媒体140のタイプを検出し、その感光媒体140タイプに対する適切な初期化ルーチンを通して実行することになる。初期化のための値は工場で決定され、制御ロジックプロセッサ112上のメモリにロード可能である。自動検出を伴って実行される調整処理は、完全に自動生成可能であり、さらに、オペレータはそれを見ることが出来る。週単位のいかなる小さな変動も、プリント装置110の周期的較正を用いて補償可能である。例えば、感光媒体140上あるいは媒体パッケージ上のバーコードラベルインディケータを検出するバーコード読み取り機、もしくは、感光媒体140上あるいは媒体パッケージ上の磁気コードを検出する磁気ストリップ読み取り機など、他のタイプのセンサおよびインディケータの組み合わせも使用可能であろう。
【００５９】
従って、提供されるものは、感光媒体のコントラスト感度特性に適合可能な感光媒体上に画像を記録するためのプリント装置および方法である。
【図面の簡単な説明】
【００６０】
【図１】プリントフィルムへの画像化のための、従来技術の接触プリンタの基本機能を示すブロック図である。
【図２】典型的な中間的ネガフィルム媒体に対する、対数露光に対する濃度を示すグラフである。
【図３】典型的なプリントフィルム媒体に対する、対数露光に対する濃度を示すグラフである。
【図４】低高双方のコントラストセットアップに対する、相対的EO装置応答曲線を示す図である。
【図５ａ】高コントラストのための電圧セットアップでの、ドライブ電圧の所与の範囲に対する典型的特性輝度応答を示す図である。
【図５ｂ】低コントラストのための電圧セットアップでの、ドライブ電圧の所与の範囲に対する典型的特性輝度応答を示す図である。
【図５ｃ】空間光変調器内のむらによって引き起こされる反射率の差が、プリントフィルム上の濃度の差に、どのように翻訳されるかを示す図である。むらの量および濃度差の量は、プリントシステムへのネガに対して、およびプリントシステへのダイレクトに対して示される。
【図６ａ】単一のカラーチャンネルのための光変調構成要素の、従来技術構成を示すブロック図である。
【図６ｂ】本発明の1つの実施例における、光変調構成要素の構成を示すブロック図である。
【図７ａ】マルチカラー実施例における、画像形成構成要素の平面図である。
【図７ｂ】マルチカラー実施例における、画像形成構成要素の正面図である。
【図７ｃ】マルチカラー実施例における、画像形成構成要素の側面図である。
【図７ｄ】マルチカラー実施例における、画像形成構成要素の斜視図である。
【図８】特定の感光媒体のためのセットアップ電圧条件の設定のための、主要ステップのフローチャートを示す図である。
【符号の説明】
【００６１】
１００  単一カラーチャンネル用画像生成装置、１１０  プリント装置、１１２  制御ロジックプロセッサ、１１４  光源、１１６  均一化装置、１１８  カラーフィルタ、１３２  分析器、１３４  偏光ビームスプリッタ、１３６  空間光変調器、２００  低コントラスト曲線、２１０  高コントラスト曲線。
【図１】
2004326110.tif 000003
【図２】
2004326110.tif 000004
【図３】
2004326110.tif 000005
【図４】
2004326110.tif 000006
【図５ａ】
2004326110.tif 000007
【図５ｂ】
2004326110.tif 000008
【図５ｃ】
2004326110.tif 000009
【図６ａ】
2004326110.tif 000010
【図６ｂ】
2004326110.tif 000011
【図７ａ】
2004326110.tif 000012
【図７ｂ】
2004326110.tif 000013
【図７ｃ】
2004326110.tif 000014
【図７ｄ】
2004326110.tif 000015
【図８】
2004326110.tif 000016